(57)【要約】      （修正有）【課題】カバー板の取り替えが容易な商品情報表示具を提供する。【解決手段】商品情報表示具１０は、商品情報カードを保持するためのチャンネル形の横断面形状を有する長尺部材１４と、長尺部材の開放面を覆うための透明なカバー板１８とを含む。長尺部材１４は、その横断面で見て、カバー板が対向可能である上部２２とカバー板を挟持可能である下部２４とを有する。【選択図】図１
2007322801.tif 000002
【特許請求の範囲】
【請求項１】
商品情報カードを保持するためのチャンネル形の横断面形状を有する長尺部材と、該長尺部材の開放面を覆うための透明なカバー板とを含み、
前記長尺部材は、その横断面で見て、前記カバー板が対向可能である上部と前記カバー板を挟持可能である下部とを有する、商品情報表示具。
【請求項２】
前記長尺部材は、さらに、その開放面に対向する第１の対向部と、該第1の対向部より下方に位置する第２の対向部とを有し、前記第１の対向部が前記第２の対向部より前記開放面に近接している、請求項1に記載の商品情報表示具。
【請求項３】
前記長尺部材の第１の対向部は前記長尺部材の上部と下部との中間に位置する、請求項２に記載の商品情報表示具。
【発明の詳細な説明】
【技術分野】
【０００１】
本発明は、冷ケースのような商品陳列棚の前面に商品情報を表示するために用いられる表示具に関する。
【背景技術】
【０００２】
スーパーマーケットのような店舗では、商品陳列棚の前面に商品の名前、価格、特性等からなる商品情報を表示することが行われている。
【０００３】
従来、このような商品情報表示のため、前記商品陳列棚の前面に取り付けられる商品情報表示具が提案されている（後記特許文献１参照）。
【０００４】
前記従来の商品情報表示具は、前記商品情報が記載された商品情報カードをその記載面が見えるように保持する長尺部材と、前記商品情報カードを覆うための透明なカバー板とを備え、前記カバー板は前記長尺部材に開閉可能に取り付けられている。
【０００５】
ところで、商品情報表示具の使用の間にそのカバー板に傷が付き、商品情報カードの読み取りが困難になったとき、前記カバー板が損傷したとき等には、前記カバー板の取り替えを必要とする。しかし、前記従来の商品情報表示具にあってはそのカバー板が開閉機構を介してその長尺部材に取り付けられているため、このような開閉機構に適合する特別な構造の替えのカバー板を準備する必要があり、その取り替えが容易でない。
【０００６】
【特許文献１】特開２００２−６２８０６号公報
【発明の開示】
【発明が解決しようとする課題】
【０００７】
本発明の目的は、カバー板の取り替えが容易な商品情報表示具を提供することにある。
【課題を解決するための手段】
【０００８】
本発明は、商品情報表示具に係り、商品情報カードを保持するためのチャンネル形の横断面形状を有する長尺部材と、該長尺部材の開放面を覆うための透明なカバー板とを含み、前記長尺部材は、その横断面で見て、前記カバー板が対向可能である上部と前記カバー板を挟持可能である下部とを有する。
【０００９】
前記長尺部材は、さらに、前記開放面に対向する第１の対向部と、該第1の対向部より下方に位置する第２の対向部とを有し、前記第１の対向部が前記第２の対向部より前記開放面に近接しているものとすることができる。好ましくは、前記第１の対向部は前記長尺部材の上部と下部との中間に位置する。
【発明の効果】
【００１０】
本発明によれば、長尺部材の上下部について、それぞれ、カバー板が対向可能の部分及び前記カバー板を挟持可能の部分としたことから、前記カバー板の交換を必要とするときは、同じ大きさの替えのカバー板を準備し、これを前記長尺部材の上下部に支持するように配置すれば足り、これにより、前記カバー板の交換を容易に行うことができる。
【００１１】
前記長尺部材にその開放面に対向する第１の対向部と第２の対向部を設けるときは、前記カバー板の一部を前記第２の対向部に向けて押圧すると、前記カバー板の一部より上位にある他の部分が、前記第２の対向部より前記開放面に近接する前記第１の対向部に当たる。その結果、前記カバー板の他の部分が反り返り、前記カバー板と前記長尺部材の上部との間にすき間が生じる。前記カバー板の交換又は商品情報カードの交換の際、このすき間に指を差し入れることにより、前記カバー板の前記長尺部材からの取り外しを容易に行うことができる。
【発明を実施するための最良の形態】
【００１２】
図１を参照すると、本発明に係る商品情報表示具が全体に符号１０で示されている。
【００１３】
商品情報表示具１０は、商品情報カード１２(図２参照)を保持するためのチャンネル形（Ｃ形）の横断面形状を有する長尺部材１４と、該長尺部材の開放面１６（図２）を覆うための透明なカバー板１８とを備える。
【００１４】
商品情報表示具１０は、例えば冷ケースの棚の前面に配置され、その長尺部材１４の背面において、例えば複数のフック部材２０を介して前記棚に取り付けられる。
【００１５】
商品情報カード１２は、例えば矩形の平面形状を有する紙材料、プラスチック材料からなり、長尺部材１４より短い長さ寸法を有する。商品情報カード１２には、陳列される商品の名称、価格、特性等からなる商品情報が記載される。
【００１６】
他方、カバー板１８は矩形の平面形状を有するプラスチック材料からなり、長尺部材１４と同じ長さ寸法を有する。
【００１７】
長尺部材１４は、その横断面で見て、上部２２及び下部２４を有する。開放面１６はこれらの上部２２及び下部２４間に形成されている。
【００１８】
図２に示すように、長尺部材１４の上部２２は開放面１６に平行な垂直面２６を有する。また、長尺部材の下部２４は上方に開放する溝２８を有し、溝２８は、カバー板１８の厚さ寸法にほぼ等しい幅寸法の隙間を形成する開放端部３０を有する。垂直面２６及び溝２８はそれぞれ長尺部材１４の長手方向へ伸びている。
【００１９】
カバー板１８はこれを傾けた状態で長尺部材１４の開放面１６に近付け、その下部を長尺部材１４の開放端部３０のすき間を通して溝２８に挿入し、次いでカバー板１４の傾きを直すことにより、長尺部材１４に保持することができる。
【００２０】
図３に示すように、長尺部材１４にカバー板１８が保持されるとき、カバー板１８は長尺部材１４の開放面１６に沿って直立し、かつその上部において長尺部材の上部２２の垂直面２６との間にわずかな間隔をおいてこれに対向し、その下部において下部２４の溝２８の開放端部３０に挟持され、これによりその姿勢を維持される。
【００２１】
長尺部材１４内に保持された商品情報カード１２は、長尺部材１４に保持されたカバー板１８により覆われる。商品情報カード１２に記載された内容はカバー板１８を通して読み取ることができる。
【００２２】
長尺部材１４内への商品情報カード１２の保持のため、長尺部材１４にその内面３２から突出する突出部３４が設けられている。これによれば、商品情報カード１２を、その下部において、長尺部材の内面３２と突出部３４との交差部に載置することができる。図示の例では、突出部３４は、長尺部材１４の溝２８の開放端部３０のための形成部を兼ねる。
【００２３】
長尺部材１４は、その開放面１６に対向する２つの対向部(第１の対向部及び第２の対向部）３６，３８を有するものとすることができる。
【００２４】
第２の対向部３８は第１の対向部３６の下方に位置し、第１の対向部３６は第２の対向部３８より開放面１６に近接している。好ましくは、第１の対向部３６及び第２の対向部３８は、それぞれ、長尺部材１４の上部の垂直面２６と平行な平坦面からなる。これらの平坦面は長尺部材１４の長手方向へ伸びている。第１の対向部３６は、例えば長尺部材１４の上部２２及び下部２４の間の中間位置に配置することができる。
【００２５】
また、図示の例では、第１の対向部３６が長尺部材の内面３２と突出部３４との前記交差部よりも開放面１６に近接している。このため、商品情報カード１２は、前記交差部に載置されるとき、第１の対向部３６に接し、開放面１６の側に傾斜した状態となる（図２）。このような状態の商品情報カード１２は、カバー板１８が長尺部材１４に垂直に保持されるとき、その上部においてカバー板１８に押され、これにより弓なりに反り、その上部が長尺部材の上部の垂直面２６に対向した状態で長尺部材１４に保持される（図３）。
【００２６】
長尺部材１４に保持されたカバー板１８（図４）は、これを第２の対向部３８に向けてこれに接するまで指で押圧することにより、弾性変形させることができる。このとき、第２の対向部３８よりも上方位置にある第１の対向部３６がより開放面１６に近接していることから、カバー板１８の上部を含む他の部分が第１の対向部３６に当たって反り返る。その結果、カバー板１８の他の部分が長尺部材１４の垂直面２６から離れ、該垂直部分との間にすき間が生じる（図５）。カバー板１８は、前記隙間に指を差し入れてこれを摘み上げることができ、これによりカバー板１８を長尺部材１４から容易に取り外し、また交換することができる。
【００２７】
図示の例では、長尺部材１４の開放面１６に対向する第３の対向部４０がさらに設けられている。第３の対向部４０は、好ましくは、第１の対向部３６及び第２の対向部３８と同様に平坦面からなり、第１の対向部３６及び第２の対向部３８と平行に長尺部材１４の長手方向へ伸びている。開放面１６と第３の対向部４０との間の距離は、開放面１６と第２の対向部３８との間の距離と同一である。  
【００２８】
また、図示の例では、第２の対向部３８は長尺部材の下部２４と第１の対向部３６との間の中間に配置され、第３の対向部４０は長尺部材の上部２２と第１の対向部３６との間の中間に配置されている。
【００２９】
さらに、図３に示すように、第１の対向部３６の背面に上方及び下方に向けて開放しかつ長尺部材１４の長手方向に伸びる２つの溝部４１，４２設け、また長尺部材１４の頂部２２の垂直面２６の背面に下方に向けて開放しかつ長尺部材１４の長手方向へ伸びる溝部４３を設けることができる。これにより、より小さいサイズの商品情報カード４４，４５を長尺部材１４内に保持することができる。より詳細には、商品情報カード４４についてはその上下部をそれぞれ溝部４３，４１で支持し、また商品情報カード４５についてはその上下部をそれぞれ溝部４２と、内面３２及び突出部３０の前記交差部とにおいて支持することができる。
【００３０】
小さいサイズの商品情報カード４４，４５は、これらが長尺部材１４内に保持されるとき、それぞれ、これらの背面に接する第３の対向部４０及び第２の対向部３８により弓なりにされる。
【００３１】
なお、長尺部材１４の背面には、該長尺部材の長手方向に伸びる、フック部材２０を引掛けるための引掛け部４６が設けられ、さらに該引掛け部４６の下方にこれと平行に延びるレール部４８が設けられている。
【００３２】
引掛け部４６及びレール部４８は、これらの端面から、長尺部材１４の各端面に取り付けられるキャップ５０に設けられた２つの脚部５２，５４を受け入れることができる。
【図面の簡単な説明】
【００３３】
【図１】商品情報表示具の分解斜視図である。
【図２】商品情報カード及びカバー板が保持される直前における長尺部材の横断面図である。
【図３】商品情報カード及びカバー板が保持された状態における長尺部材の横断面図である。
【図４】カバー板が保持された状態における長尺部材の横断面図である。
【図５】カバー板が取り外される状態における長尺部材の横断面図である。
【符号の説明】
【００３４】
１０  商品情報表示具
１２  商品情報カード
１４  長尺部材
１６  長尺部材の開放面
１８  カバー板
２２，２４  長尺部材の上部及び下部
３６，３８  第１の対向部及び第２の対向部
【図１】
2007322801.tif 000003
【図２】
2007322801.tif 000004
【図３】
2007322801.tif 000005
【図４】
2007322801.tif 000006
【図５】
2007322801.tif 000007